(57)【特許請求の範囲】
【請求項１】
鉄心コアを有するステータと、このステータの内側に配設されるとともに前記ステータから外側へ突出したロータ軸を有するロータと、前記ロータ軸の先端部に取り付けられ且つ外気吸入口を有するファンカバーに覆われる遠心ファンと、この遠心ファンと前記ステータとの間に配置されるとともに前記鉄心コアに取り付けられて前記ロータ軸を回転自在に保持するフレームと、このフレームに形成された取付部に取り付けられて前記遠心ファンからの送風を前記ロータ及びステータに案内する整流板とを有する電動送風機において、
前記整流板のステータ側の面に少なくとも３つのボス部を突設させ、各ボス部の先端を前記鉄心コアに当接させて前記整流板の前記遠心ファンに対する傾きを防止したことを特徴とする電動送風機。
【請求項２】
鉄心コアを有するステータと、このステータの内側に配設されるとともに前記ステータから外側へ突出したロータ軸を有するロータと、前記ロータ軸の先端部に取り付けられ且つ外気吸入口を有するファンカバーに覆われる遠心ファンと、この遠心ファンと前記ステータとの間に配置されるとともに前記鉄心コアに取り付けられて前記ロータ軸を回転自在に保持するフレームと、前記遠心ファンからの送風を前記ロータ及びステータに案内する整流板とを有する電動送風機において、
前記整流板のステータ側の面に少なくとも３つのボス部を突設させ、各ボス部の先端を前記鉄心コアに当接させネジ止めして前記整流板の前記遠心ファンに対する傾きを防止したことを特徴とする電動送風機。
【発明の詳細な説明】
【０００１】
【発明の属する技術分野】
本発明は、電気掃除機の掃除機本体に内蔵して使用される電動送風機に関する。
【０００２】
【従来の技術】
従来の電動送風機としては、例えば図５、図６に示すようなものが知られている。この電動送風機１は、鉄心コア２を有するステータ３と、このステータ３の内側に回転可能に配設されたロータ４とを有する。ロータ４のロータ軸４ａはステータ３から突出し、その先端部には遠心ファン５が取り付けられている。この遠心ファン５は後述する整流板６に取り付けられたファンカバー７に覆われており、ファンカバー７の略中央には外気吸入口７ａが形成されている。
【０００３】
鉄心コア２の遠心ファン５側の端面２ａには、ロータ軸４ａを回転自在に保持するフレーム８が取り付けられている。フレーム８にはロータ軸４ａと略垂直に交わる平板状の取付部８ａが形成され、この取付部８ａには遠心ファン５からの送風をロータ４及びステータ３に案内する整流板６が当接してネジ９により固定されている。この整流板６と遠心ファン５との間には、遠心ファン５の回転を阻害しないように所定の間隙１０が設けられている。
【０００４】
この電動送風機１では、ロータ４の回転に伴って遠心ファン５が回転すると、外気吸入口７ａから外気が吸入されてこれがファンカバー７の内壁等に沿って流れる。その吸入された空気は整流板６の連通孔６ａを通って整流板６のステータ３側に流れ込み、整流板６に案内されてロータ４及びステータ３に当たってこれらを冷却する。
【０００５】
【発明が解決しようとする課題】
ところで、整流板６はフレーム８の取付部８ａにネジ９により固定されているだけなので、部品のばらつきやネジ９の締め付け具合等により各ネジ９の固定位置が図５及び図６において上下方向にずれる場合がある。このようにネジ９の固定位置がずれると、取付部８ａの面が狭く両固定位置間の距離が小さいので、整流板６が大きく傾いてしまう。一方、遠心ファン５からの送風が整流板６のステータ３側に効率よく流れ込むように、整流板６と遠心ファン５との間の間隙１０は小さなものとなっているので、このように整流板６が大きく傾くと、整流板６と遠心ファン５とが接触して回転が妨げられるおそれがある。
【０００６】
そこで、この発明は、遠心ファンに対する整流板の傾きを防止して、整流板と遠心ファンとの干渉を避けることができる電動送風機を提供することを課題としている。
【０００７】
【課題を解決するための手段】
上記課題を解決するため請求項１に記載の発明は、鉄心コアを有するステータと、このステータの内側に配設されるとともに前記ステータから外側へ突出したロータ軸を有するロータと、前記ロータ軸の先端部に取り付けられ且つ外気吸入口を有するファンカバーに覆われる遠心ファンと、この遠心ファンと前記ステータとの間に配置されるとともに前記鉄心コアに取り付けられて前記ロータ軸を回転自在に保持するフレームと、このフレームに形成された取付部に取り付けられて前記遠心ファンからの送風を前記ロータ及びステータに案内する整流板とを有する電動送風機において、
前記整流板のステータ側の面に少なくとも３つのボス部を突設させ、各ボス部の先端を前記鉄心コアに当接させて前記整流板の前記遠心ファンに対する傾きを防止した電動送風機を特徴とする。
【０００８】
請求項２に記載の発明は、鉄心コアを有するステータと、このステータの内側に配設されるとともに前記ステータから外側へ突出したロータ軸を有するロータと、前記ロータ軸の先端部に取り付けられ且つ外気吸入口を有するファンカバーに覆われる遠心ファンと、この遠心ファンと前記ステータとの間に配置されるとともに前記鉄心コアに取り付けられて前記ロータ軸を回転自在に保持するフレームと、前記遠心ファンからの送風を前記ロータ及びステータに案内する整流板とを有する電動送風機において、
前記整流板のステータ側の面に少なくとも３つのボス部を突設させ、各ボス部の先端を前記鉄心コアに当接させネジ止めして前記整流板の前記遠心ファンに対する傾きを防止した電動送風機を特徴とする。
【００１０】
【発明の実施の形態】
本発明の電動送風機の具体的な実施の形態について、図面を参照しつつ説明する。
【００１１】
図１に示すように、電動送風機１１は、鉄心コア１２及びステータコイル１３を有するステータ１４と、ステータ１４の内側に配設されるロータ１５とを有する。ロータ１５のロータ軸１５ａはステータ１４から突出している。
【００１２】
鉄心コア１２はロータ１５を配設するための穴１２ａが設けられた略方形状のケイ素鋼板が複数積層されてなり（図３参照）、ステータコイル１３は鉄心コア１２の穴１２ａに形成される一対の突極１２ｂに図示を略す絶縁材を介して巻回されている。このステータコイル１３とロータ１５に巻回されたロータコイル１６との電磁誘導作用により、ロータ１５は回転するように構成されている。
【００１３】
鉄心コア１２の四隅にはロータ軸１５ａの延設方向に沿って延びるネジ孔１２ｃが、鉄心コア１２を貫通するように設けられている（図３参照）。また、鉄心コア１２の端面１２ｄ，１２ｅにはそれぞれフレーム１７，１８が取り付けられ、ロータ軸１５ａのステータ１４から突出した部分をそれぞれ回転自在に保持している。ロータ軸１５ａのフレーム１８に保持される側の先端部には遠心ファン１９が取り付けられている。
【００１４】
そのフレーム１８は、鉄心コア１２の端面１２ｅに固着される脚部１８ａ，１８ａと、この脚部１８ａ，１８ａに支持されロータ軸１５ａが貫通する取付部１８ｂとを有する。取付部１８ｂはロータ軸１５ａと略垂直に交わる平板状に形成され、この取付部１８ｂの遠心ファン１９側の面には後に詳述する整流板２０が当接している。整流板２０と遠心ファン１９との間には所定の間隙２１が設けられるとともに、整流板２０には外気吸入口２２ａを有するファンカバー２２が取り付けられ、遠心ファン１９はそのファンカバー２２に覆われている。
【００１５】
整流板２０は、図２に示すように、ロータ軸１５ａが貫通するための中心孔２０ａを備えた円盤状を呈しており、その外周縁に沿って連通孔２０ｂが設けられている。さらに、整流板２０のステータ１４側の面２０ｃにはブレード２０ｄが立設されている。連通孔２０ｂは、遠心ファン１９の回転によって外気吸入口２２ａから吸入され、ファンカバー２２の内壁等に沿って流れる空気を整流板２０のステータ１４側に導く役割を果たし、ブレード２０ｄは、その連通孔２０ｂからの風をロータ１５及びステータ１４に向けて案内してこれらを冷却する役割を果たす。
【００１６】
また、その整流板２０のステータ１４側の面２０ｃには円柱状のボス部２０ｅが４箇所から突設され、各ボス部２０ｅの高さはその先端面２０ｆが鉄心コア１２の端面１２ｅに当接するように形成されている。これらのボス部２０ｅは、整流板２０を補強するための補強用リブ２０ｇで形成されているとともに、先端面２０ｆから所定深さまで設けられたネジ孔２０ｈを有する。
【００１７】
図３に示すように、各ボス部２０ｅの先端面２０ｆを鉄心コア１２の端面１２ｅに当接させ、鉄心コア１２のネジ孔１２ｃに端面１２ｄ側からネジ２３を挿通し、これをボス部２０ｅのネジ孔２０ｈに螺着させることによって、整流板２０はステータ１４にネジ止めされる。すなわち、この電動送風機１１においては、従来の電動送風機１の場合と比較して、ロータ軸１５ａから半径方向に向かって距離Ｌだけ外側で整流板２０とステータ１４とが固定されることになる。このように整流板２０の固定位置間の距離Ｄ１を従来の整流板６の固定位置間の距離Ｄ２よりも大きくすると、図４に示すように、例えば整流板６を固定するネジ９及び整流板２０を固定するネジ２３の固定位置に同じように高さ方向のずれＳがある場合に、整流板６の傾き量Ｈ２よりも整流板２０の傾き量Ｈ１の方が小さくなり、整流板と遠心ファンとの干渉を防止することができる。
【００１８】
なお、従来の電動送風機１と同様に整流板２０を取付部１８ｂのみに固着させ、ボス部２０ｅは鉄心コア１２にネジ止めせずに端面１２ｄに当接させるだけの構成としても、傾こうとする整流板２０のステータ１４側への倒れをボス部２０ｅが妨げるので、やはり傾き防止の効果を得ることができる。
【００１９】
このようにボス部２０ｅが遠心ファン１９に対する整流板２０の傾きを防止し、また、そのボス部２０ｅは整流板２０を補強するための補強用リブ２０ｇで形成されているので、ここでは補強用リブ２０ｇが整流板２０の補強とその傾き防止との役割を兼ねている。
【００２０】
以上、この発明の実施の形態を図面により詳述してきたが、具体的な構成はここに示したものに限られず、発明の要旨を逸脱しない範囲の設計の変更等があっても本発明に含まれる。
【００２１】
例えば、上記実施の形態においてはボス部２０ｅの形状を円柱状としたが、これを角柱状に形成してもよく、あるいは、その先端を平らにせず、ボス部の先端と鉄心コアとを面状ではなく点状に当接させることとしても構わない。
【００２２】
ボス部の数についても４つに限定されるものではなく、同一直線上にない３つ以上のボス部の先端が鉄心コアに当接するのならばいくつであっても構わないが、あまり多くボス部を設けても得られる傾き防止の効果に大差はないので、３つ乃至８つ程度であることが好ましい。
【００２３】
【発明の効果】
以上説明したように、請求項１、請求項２に記載の各発明は、整流板のステータ側の面に少なくとも３つのボス部を突設させ、各ボス部の先端を鉄心コアに当接させたものであるから、整流板の傾きが抑制されて整流板と遠心ファンとの間の間隙が保持され、整流板と遠心ファンとの干渉を避けることができる。
【００２５】
また、請求項２に記載の発明は、整流板のボス部をステータの鉄心コアにネジ止めしたものであるから、鉄心コアに取り付けられてロータ軸を保持するフレームに、整流板の取付部を設ける必要がなくなる。
【図面の簡単な説明】
【図１】発明の実施の形態に係る電動送風機を示す部分断面図である。
【図２】発明の実施の形態に係る整流板を示す平面図である。
【図３】発明の実施の形態に係る整流板をステータに取り付ける様子を示す斜視図である。
【図４】従来の整流板と発明の実施の形態に係る整流板とを模式的に示し、両者の傾きの違いを表した説明図である。
【図５】従来の電動送風機を示す部分断面図である。
【図６】図５の電動送風機をＡ方向から拡大して見た部分断面図である。
【符号の説明】
１１    電動送風機
１２    鉄心コア
１４    ステータ
１５    ロータ
１５ａ  ロータ軸
１８    フレーム
１８ｂ  取付部
１９    遠心ファン
２０    整流板
２０ｅ  ボス部
２０ｆ  先端面
２２    ファンカバー
２２ａ  外気吸入口
【図１】
0003749002.tif 000002
【図２】
0003749002.tif 000003
【図３】
0003749002.tif 000004
【図４】
0003749002.tif 000005
【図５】
0003749002.tif 000006
【図６】
0003749002.tif 000007